(57)【特許請求の範囲】
【請求項１】
フロントケースとリアケースで構成され、前記いずれか一方のケースに部材を収納する収納凹部を設け、前記収納凹部には、部材を保持するため前記収納凹部側に突出する係止爪を設けるために押切構造によって係止爪の下で収納凹部の側面に形成される押切孔を有し、もう一方のケースには、前記押切孔に係合可能な係合片を設け、前記フロントケースと前記リアケースを組付けることによって、前記押切孔が前記係合片により閉塞される機器の筺体において、
前記いずれか一方のケースに形成された前記係合片に突部を設ける一方、もう一方のケースに前記突部と嵌合可能な受け部を形成したことを特徴とする機器の筺体。
【発明の詳細な説明】
【技術分野】
【０００１】
本発明は、機器筐体に係わり、より詳細には、成形する際にできた押切孔を構成部材の一部分を用いることにより、簡単かつ安価な構成で閉塞できる機器筐体に関する。
【背景技術】
【０００２】
従来、成形金型によって形成される筐体部品において、いわゆるアンダーカットとなる箇所で空いてしまう押切孔を塞ぐ構造としては、従来例１（特許文献１参照）あるいは図９に示す従来例２のように、閉塞部材を用いて押切孔を塞ぐものが一般的である。従来例１に開示されているのは、携帯電話やＰＨＳ等の移動通信機の筐体構造であり、図８（Ａ）の展開図及び図８（Ｂ）の組込図に示すように、フロントケース２００と、リアケース２０１と、閉塞部材２０２と、振動を発生させるためのバイブレーションモータ２０５と、プリント基板２０６および電池蓋２０７とからなる。
【０００３】
リアケース２０１には、図示しない充電台に設けられた係止片２０８が挿入される溝２０３や、電池蓋２０７に設けられた係止片２０７ａが挿入される溝２０４が設けられている。リアケース２０１は、上下金型からなる成形金型によって形成されるため、溝２０３の埋没凹部２０３ａおよび溝２０４の埋没凹部２０４ａはいわゆるアンダーカットとなる。従って構造上、溝２０３の内側には成形金型の押切構造によって形成される押切孔２０３ｂが、溝２０４の内側には同じく成形金型の押切構造によって形成される押切孔２０４ｂが空いてしまうことは避けられない。
【０００４】
これらの押切孔２０３ｂおよび押切孔２０４ｂからは、塵や埃或いは水などが筐体内部に侵入する可能性があるため、押切孔２０３ｂおよび押切孔２０４ｂは塞ぐことが望ましい。そこで、図８（Ａ）に示すように閉塞部材２０２をリアケース２０１の内側より、脚板部２０２ａが仕切壁２０１ａに沿って埋没凹部２０３ａおよび埋没凹部２０４ａ内へ挿入されるように装着すると、図８（Ｂ）に示すように、閉塞部材２０２から張り出す閉塞板部２０２ｂによって押切孔２０３ｂが、同じく閉塞部材２０２から張り出す閉塞板部２０２ｃによって押切孔２０４ｂが塞がれる。
【０００５】
このように、閉塞部材２０２を装着し押切孔２０３ｂおよび押切孔２０４ｂを塞ぐことにより、塵や埃或いは水などの筐体内部への侵入を防ぐことができる。そして、図８（Ｂ）に示すように、溝２０３には係止片２０８が、溝２０４には電池２０９を挿入した後にリアケース２０１に装着される電池蓋２０７の係止片２０７ａがそれぞれ挿入される。尚、図８（Ｂ）に示すように、閉塞部材２０２の閉塞板部２０２ｂは、リアケース２０１の内壁２０１ｂと共に、バイブレーション用モータ２０５の端子がプリント基板２０６の配線に電気的に接触するよう、高さ方向の位置決め手段として用いている。
【０００６】
図９は従来例２のタッチパネルコントローラー３００を示す図面であり、（Ａ）はタッチパネルコントローラー３００の外観斜視図である。また、図９（Ｂ）、（Ｃ）は、図９（Ａ）におけるＥ−Ｅ’断面図であり、（Ｂ）は閉塞部材３０７装着前を、（Ｃ）は閉塞部材３０７装着後をそれぞれ示している。フロントケース３０１の上部には、入力ペン３０５を収納するための収納凹部３０３が設けられており、フロントケース３０１の背部にはリアケース３０２が組付けられている。
【０００７】
収納凹部３０３の一部には、入力ペン３０５を保持するための係止爪３０４が設けられているが、フロントケース３０１は上下金型からなる成形金型によって成形されるため、係止爪３０４の下部はいわゆるアンダーカットとなる。従って構造上、係止爪３０４の下部には成形金型の押切構造によって形成される押切孔３０６が空いてしまうことは避けられない。
【０００８】
押切孔３０６からは、塵や埃或いは水などが筐体内部に侵入する可能性があるため、押切孔３０６は塞ぐことが望ましい。そこで、図９（Ｃ）に示すように閉塞部材３０７をフロントケース３０１の内側より装着すると、閉塞部材３０７によって押切孔３０６が塞がれる。このように、閉塞部材３０７を装着し押切孔３０６を塞ぐことにより、塵や埃或いは水などの筐体内部への侵入を防ぐことができる。
【０００９】
しかし、従来例１や従来例２に示す構造では、押切孔を塞ぐために閉塞部材が必要となり、部品点数が増えることとなる。また、閉塞部材を接着剤などを使用して押切孔に装着するという作業が必要となり、作業が煩わしくなると共に閉塞部材が増えることによりコストアップになるという問題があった。さらに、押切孔の形成を防ぐために筐体を係止爪や溝を含む箇所で分割構造とすれば、製造時の工数および金型費用が増加すると共に外観性も低下するという問題があった。
【００１０】
一方、アンダーカットの原因となる部分を別部品として取り付けることにより、押切孔をなくす方法もある。例えば、図１０は図９（Ｂ）、（Ｃ）における別の従来例３を示す断面図であり、（Ａ）は係止部材３０９取り付け前を、（Ｂ）は係止部材３０９取り付け後をそれぞれ示している。本従来例では、図１０（Ａ）に示すようにフロントケース３０１の上部に設けられた収納凹部３０３の一部に係止部材係合部３０８を設け、この係止部材係合部３０８に図１０（Ｂ）に示すように係止部材３０９を取り付けることで、入力ペン３０５の保持部を設けたものである。
【００１１】
このような構造とすれば、図９でアンダーカットの原因となっていた係止爪３０４を別部材である係止部材３０９としているので、フロントケース３０１に成形金型による押切孔は形成されず閉塞部材を用いて押切孔を塞ぐ必要はなくなる。しかしながら、閉塞部材の代わりに係止部材３０９が必要となり、係止部材３０９を係止部材係合部３０８に接着剤などを使用して装着するという作業が必要となる。従って、図９で説明した従来例と同様、作業が煩わしくなると共に係合部材３０９が増えることによりコストアップになるという問題があった。
【特許文献１】特開２００６−２２２３５０号公報（第５〜７頁、第２図）
【発明の開示】
【発明が解決しようとする課題】
【００１２】
本発明は上記問題点を解決し、成形金型の押切構造により形成される押切孔の閉塞を、簡単かつ安価な構成で実現することを目的とする。
【課題を解決するための手段】
【００１３】
上述の課題を解決するため、本発明は以下に示す特徴を備えている。
【００１４】
請求項１に関する発明は、成形によるフロントケースとリアケースで構成される機器筺体であって、前記いずれか一方のケースに部材を収納する収納凹部を設け、前記収納凹部には、部材を保持するため前記収納凹部側に突出する係止爪を設けるために押切構造によって係止爪の下で収納凹部の側面に形成される押切孔を有し、もう一方のケースには、前記押切孔に係合可能な係合片を設け、前記フロントケースと前記リアケースを組付けることによって、前記押切孔が前記係合片により閉塞されることで別途閉塞部材を使用することなく、塵や埃或いは水などが筺体内部に侵入することを防ぐことができるため、部品点数を削減できコストダウンを行うことができる。また、フロントケースとリアケースを組付けると同時に押切孔が係合片によって閉塞されるため、作業の簡素化と工数削減を行うことが出来る。
更に、前記いずれか一方のケースに形成された前記係合片に突部を設ける一方、もう一方のケースに前記突部と嵌合可能な受け部を形成したことで、筺体の組付け強度を上げることができる。
【発明の効果】
【００１６】
以上説明した手段を用いることにより、押切構造によって形成される押切孔を閉塞するために、別途閉塞部材を使用することなく、塵や埃或いは水などが筐体内部への侵入することを防ぐことができるため、部品点数を削減できコストダウンを行うことができる。また、フロントケースとリアケースを組付けると同時に押切孔が係合片によって閉塞されるため、作業の簡素化と工数削減を行うことができる。
【発明を実施するための最良の形態】
【００１７】
以下、本発明の実施の形態を、添付図面に基づいて詳細に説明する。尚、実施例としては、本発明によるタッチパネルコントローラーの機器筐体を一例として説明することとする。
【実施例１】
【００１８】
図１〜図５を用いて、本発明の実施例を説明する。図１は本発明の実施例であるタッチパネルコントローラーの外観斜視図を示し、図２はタッチパネルコントローラーの分解斜視図を示している。図３は図１のＡ−Ａ’要部概略断面図を示している。図４は図２のフロントケース２におけるＢ−Ｂ’断面図であり、（Ａ）はこの部分を形成する成形金型の上下金型の形状を示し、（Ｂ）はこの部分の要部概略断面図である。図５は図２のリアケース３に設けられた係合片５１の詳細図であり、（Ａ）はＣ−Ｃ’要部概略断面図、（Ｂ）は矢視Ｄ図（正面図）である。
【００１９】
図１に示すタッチパネルコントローラー１は、ビル等の大型施設に設置される空調システムに対し、操作監視や空調管理など様々な制御を行うものであり、前面に液晶画面ユニット１３のタッチパネルを保護する保護シート８や、断面が略円状の部材である入力ペン７の収納部である収納凹部４を設けた樹脂材でなるフロントケース２と、側面に放熱孔９を設けた樹脂材でなるリアケース３で筐体が構成されている。使用者は入力ペン７を用いて、保護シート８を通してタッチパネルに表示されているコマンドを選択することによって、空調システムの様々な制御を行うことができるようになっている。
【００２０】
収納凹部４は、入力ペン７の着脱作業を容易にするために、また入力ペン７の落下を防止するために、フロントケース２の上面に設けられている。収納凹部４の寸法は、入力ペン７に対応した寸法としており、その断面形状Ａ−Ａ’は入力ペン７が安定して収納できるように、入力ペン７の外形に対応した略円弧状としている。
【００２１】
収納凹部４には、入力ペン７を保持するために断面が矩形の係止爪５が２個収納凹部４内側に突出して設けられている。係止爪５の寸法ｗは、入力ペン７を収納凹部に収めた際に安定して保持できる寸法としている。収納凹部４の中央部には入力ペン７の着脱を容易に行える、人差し指がかかる幅と深さに設定された入力ペン取出用凹部６が設けられている。
【００２２】
また、フロントケース２の両側面部には、図２に示すようにリアケース３と組付けるためのねじ穴１０ａを備えたねじ止め部１０およびフロントケース係止爪１１が突設されている。
【００２３】
入力ペン７を収納凹部４に収納する際は、入力ペン７を真上から収納凹部４に対して近づけていく。図３に示すように、入力ペン７を収納凹部４に収納する際に、入り口となる部分の寸法である入力ペン係止部寸法Ｘは、入力ペン７の断面直径寸法Ｙより若干小さな寸法としている。このため、入力ペン７が収納凹部４に収まるためには係止爪５を乗り越える必要があるが、係止爪５の厚み寸法Ｚは弾性的に変形するように薄くしているため、入力ペン７の外形部が係止爪５に接した際に、更に収納凹部４の方向すなわち下方へ力を加えて係止爪５を下方に撓ませることによって、入力ペン７を係止爪５を乗り越え収納凹部４に収めることができる。
【００２４】
入力ペン７が収納凹部４に収納されると、係止爪５は元の状態へ戻る。この時、図３に示すように係止爪５は入力ペン７の外形部に当接するため、入力ペン７のガタつきや落下を防止し安定して収納することができる。
【００２５】
また、入力ペン７を収納凹部４から取り出す際は、入力ペン取出用凹部６に人指し指を入れて入力ペン７にかけ、収納時とは逆の方向すなわち上方へ力を加える。この際、係止爪５は入力ペン７の外形部に当接しているので、入力ペン７より力を受けて上方へ撓み、入力ペン７は係止爪５を乗り越えて収納凹部４から取出すことができる。
【００２６】
さて、フロントケース２は金型成形でなるが、係止爪５は収納凹部４の内側へ突出しているため、成形後に金型から取り外す時に離型できない形状すなわちアンダーカット形状となっている。従って、アンダーカット形状にあたる金型の部分を離型できるように移動させるアンダーカット処理が必要となる。その場合、図４（Ａ）に示すように成形金型の上金型５２と下金型５３により押切面５４が形成される。この部分には成形時に樹脂材が回らないため、図４（Ｂ）に示すように係止爪５下部の収納凹部４側面に、高さ寸法ｈの押切孔５０が形成される。尚、押切孔５０の幅寸法と係止爪５の寸法ｗは同じ寸法である。
【００２７】
もう一方の筐体を構成するリアケース３の内部には、図２に示すように前面にタッチパネルを有した液晶画面ユニット１３や、電源ＩＣなどの電源回路部品が実装された電源基板１４、フィルター回路部品が実装されたフィルター基板１５が組付けられており、互いに接続ケーブルやコネクタを介して接続されている。  
【００２８】
また、リアケース３の両側面には、フロントケース２のねじ止め部１０と組付けるリアケースねじ穴１２と、フロントケース係止爪１１と係合する係止爪係合部１７と、液晶画面ユニット１３や電源基板等から発生した熱を筐体外へ放出するための複数の放熱孔９が配設されている。
【００２９】
リアケース３の断面形状は略コ字状であり金型成形による樹脂材でなる。リアケース３の上面には、係合片５１が２本前面方向へ突設されている。係合片５１の横方向の位置はフロントケース２の押切孔５０に対応させてあり、突出寸法は図３に示すようにフロントケース２とリアケース３を組付けた際に当接面に係合片５１が当接する長さとしている。係合片５１は図５（Ｂ）に示すように、正面から見た場合（図２の矢視Ｄ）矩形の形状であり、係合片５１の高さ寸法Ｈおよび幅寸法Ｗはそれぞれ押切孔５０の高さｈおよび幅ｗに対応する寸法としている。係合片５１の先端部は、図５（Ａ）に示すように平坦で矩形形状を有する当接部５１ｂと、当接部上端５１ｃから係合片上端５１ｄまで入力ペン７の外形に対応した略円弧状の一部となる係合片断面形状５１ａとなっている。
【００３０】
フロントケース２とリアケース３の組付けは以下の通りである。まず、リアケース３にフロントケース２を近づけていく。その際、リアケース３の係合片５１がフロントケース２の押切孔５０に挿入され、次に、フロントケース２に突設されているフロントケース係止爪１１をリアケース３側面内側に設けられた係止爪係合部１７に挿入し、フロントケース２に力を加えて、フロントケース係止爪１１を係止爪係合部１７に嵌合させる。この時、フロントケース２とリアケース３は外周部で互いに密接し組付けられた状態となるが、それと同時に、図３に示すように係合片５１の当接部５１ｂがフロントケース２に当接面にて当接し、押切孔５０は係合片５１と嵌合することによって閉塞される。また、係合片５１の先端部は入力ペン７の外形に対応した係合片断面形状５１ａとしているため、収納凹部４の収納凹部断面形状４ａと滑らかに繋がって、係合片５１が収納凹部４の一部を形成することになる。
【００３１】
フロントケース２とリアケース３が組付けられると、フロントケース２に突設されているねじ止め部１０に設けられたねじ穴１０ａと、リアケース３に設けられたねじ穴１２が同軸位置となり、締結ねじ１６（２本）をねじ穴１２からねじ穴１０ａへ向かって螺合させることにより、フロントケース２とリアケース３の組付けが完了する。
【００３２】
以上説明したように、リアケース３に設けた係合片５１で押切孔５０を閉塞するため、閉塞部材を別途用意することなく塵や埃あるいは水などの筐体内部への侵入を防ぐことができ、部品点数の削減ひいてはコストダウンができる。また、フロントケース２とリアケース３を組付けるのと同時に押切孔５０が係合片５１で閉塞されるので、別途閉塞部材を接着剤などを用いて装着する場合に比べて組立作業が簡易となる。さらには、部品点数の削減と組立作業の簡易化によって工数の削減を行うことができる。
【００３３】
上記実施例では、フロントケース２とリアケース３はすべて合成樹脂材料で形成されているが、これに限るものでなく、リアケース３を鉄やアルミなどのより剛性の高い材料としてもよい。また、フロントケース２とリアケース３を、アルミダイカストのような合成樹脂材料と同様の製造手法、すなわち金型構造により押切孔５０が形成されるような材料を用いてもよい。これら金属製の材料を用いればより強固な押切孔５０の閉塞が実現できる。
【００３４】
また、入力ペン７を保持するための係止爪５や押切孔５０および係合片５１はそれぞれ２箇所に形成されているが、これに限るものでなく、係止爪５や押切孔５０および係合片５１はそれぞれ１箇所もしくは３箇所以上の複数個所に形成されていてもよい。
【００３５】
さらに、収納凹部４および押切孔５０はフロントケース２に、係合片５１はリアケース３にそれぞれ形成されているが、これに限るものでなく、収納凹部４および押切孔５０はリアケース３に、係合片５１はフロントケース２にそれぞれ形成されていてもよい。
【００３６】
尚、本実施例では本発明によるタッチパネルコントローラーの機器筐体を説明しているが、これに限るものでなく、構成として一方のケースに金型により形成される押切孔を有し、他方のケースに押切孔を閉塞する部分を備え、両者を組付けることによって押切孔を閉塞することができる構造を備えた機器筐体に幅広く応用できる。
【実施例２】
【００３７】
次に図６および図７を用いて、本案の他の実施例について説明する。図６は、図２における他の形状の係合片である第２係合片５５の詳細図であり、（Ａ）はＣ−Ｃ’要部概略断面図、（Ｂ）は矢視Ｄ図（正面図）である。また、図７はフロントケース２と図６に示す第２係合片５５を有するリアケース３を組付けた際の、押切孔５０と第２係合片５５の係合状態を示す要部概略断面図である。この構造は図３および図５で説明した構造に類似するため、図３および図５で説明した構成については、同じ番号を付して、詳細な説明を省略する。図３および図５で説明した構造と異なるのは、第２係合片５５にフロントケース２との係合のための係合凸部５６を設けたことである。
【００３８】
リアケース３の上面には、第２係合片５５が２本前面方向へ突設されている。第２係合片５５の横方向の位置はフロントケース２の押切孔５０に対応させてあり、突出寸法は図７に示すようにフロントケース２とリアケース３を組付けた際に当接面に第２係合片５５が当接する長さとしている。第２係合片５５は図６（Ｂ）に示すように、正面から見た場合（図２の矢視Ｄ）矩形の形状であり、第２係合片５５の高さ寸法Ｈ’および幅寸法Ｗ’はそれぞれ押切孔５０の高さｈおよび幅ｗに対応する寸法としている。第２係合片５５の上面には、フロントケース２の係合受部５７に対応する高さ寸法Ｈ”と厚さ寸法Ｔとした係合凸部５６が連設されている。第２係合片５５の先端部は、図６（Ａ）に示すように平坦で矩形形状を有する第２当接部５５ｂと、第２当接部上端５５ｃから係合凸部上端５６ａまで入力ペン７の外形に対応した略円弧状の一部となる第２係合片断面形状５５ａとなっている。
【００３９】
組立の際、まずリアケース３にフロントケース２を近づけていく。その際、リアケース３の第２係合片５５がフロントケース２の押切孔５０に挿入され、次に、フロントケース２に突設されているフロントケース係止爪１１をリアケース３側面内側に設けられた係止爪係合部１７に挿入し、フロントケース２に力を加えて、フロントケース係止爪１１を係止爪係合部１７に嵌合させる。この時、フロントケース２とリアケース３は外周部で互いに密接し組付けられた状態となるが、それと同時に、図７に示すように第２係合片５５の第２当接部５５ｂがフロントケース２に当接面にて当接し、押切孔５０は第２係合片５５と嵌合することによって閉塞される。また、第２係合片５５の先端部は入力ペン７の外形に対応した第２係合片断面形状５５ａとしているため、収納凹部４の収納凹部断面形状４ａと滑らかに繋がって、第２係合片５５が収納凹部４の一部を形成することになる。この時、係止爪５の下部空間が係合凸部５６の係合受部５７となり、係合凸部５６が係合受部５７と嵌合する。係合凸部５６は、リアケース３がフロントケース２から外れる方向（図７の右方向）に力が働いた時に係合受部５７に当たりストッパの役目を果たすため、フロントケース２とリアケース３の組付け強度をより強くすることができる。
【００４０】
以上説明した通り、本発明によれば、フロントケースもしくはリアケースのどちらか一方のケースには押切孔が、もう一方のケースには係合片が形成されている。両ケースを組付けると同時に押切孔と係合片は嵌合することで閉塞される。
【００４１】
また、一方のケースに形成された係合片に係合凸部が、もう一方のケースにはこの係合凸部に嵌合する係合受部がそれぞれ配設されており、両ケースを組付ける際に、係合凸部が係合受部に嵌合する。
【００４２】
これにより、閉塞部材を使用することなく、塵や埃或いは水などが筐体内部への侵入することを防ぐことができるため、部品点数を削減でき、作業の簡単化およびコストダウンを行うことができる。
【００４３】
また、係合凸部は両ケースが外れる方向に力が働いた時に係合受部に当たりストッパの役目を果たすため、フロントケース２とリアケース３の組付け強度をより強くすることができる。
【図面の簡単な説明】
【００４４】
【図１】本発明によるタッチパネルコントローラーの実施例を示す外観斜視図である。
【図２】本発明によるタッチパネルコントローラーの実施例を示す分解斜視図である。
【図３】本発明によるタッチパネルコントローラーの実施例における、図１のＡ−Ａ’要部概略断面図である。
【図４】本発明によるタッチパネルコントローラーの実施例における、図２のＢ−Ｂ’断面図であり、（Ａ）は成形金型の上下金型形状図、（Ｂ）は要部概略断面図である。
【図５】本発明によるタッチパネルコントローラーの実施例における、係合片の詳細図であり、（Ａ）は図２のＣ−Ｃ’要部概略断面図、（Ｂ）は図２の矢視Ｄ図（正面図）である。
【図６】本発明によるタッチパネルコントローラーの他の実施例における、係合片の詳細図であり、（Ａ）は図２のＣ−Ｃ’要部概略断面図、（Ｂ）は図２の矢視Ｄ図（正面図）である。
【図７】本発明によるタッチパネルコントローラーの他の実施例における、フロントケースとリアケース組付け後の要部概略断面図である。
【図８】従来例１の移動通信機を示す図面であり、（Ａ）は要部展開図、（Ｂ）は組付図である。
【図９】従来例２のタッチパネルコントローラーを示す図面であり、（Ａ）はタッチパネルコントローラーの外観斜視図である。また、（Ｂ）はカバー部材取り付け前、（Ｃ）はカバー部材取り付け後を示すＤ−Ｄ’要部断面図である。
【図１０】従来例３の、入力ペンを係止する爪部材の取り付けを示す図面であり、（Ａ）は爪部材取り付け前、（Ｂ）は爪部材取り付け後を示す要部断面図である。
【符号の説明】
【００４５】
１  タッチパネルコントローラー
２  フロントケース
３  リアケース
４  収納凹部
５  係止爪
６  入力ペン取出用凹部
１０  ねじ止め部
１０ａ  ねじ穴
１１  フロントケース係止爪
１２  リアケースねじ穴
１７  係止爪係合部
５０  押切孔
５１  係合片
５２  上金型  
５３  下金型
５４  押切面
５５  第２係合片
５６  係合凸部
５７  係合受部
【図１】
0004972717.tif 000002
【図２】
0004972717.tif 000003
【図３】
0004972717.tif 000004
【図４】
0004972717.tif 000005
【図５】
0004972717.tif 000006
【図６】
0004972717.tif 000007
【図７】
0004972717.tif 000008
【図８】
0004972717.tif 000009
【図９】
0004972717.tif 000010
【図１０】
0004972717.tif 000011